(57)【要約】【課題】ユーザービリティーを損なわずに消費電力を削減する。【解決手段】携帯端末１は、画面を第１の輝度で表示させる通常モードと、画面を第１の輝度よりも低い第２の輝度で表示させるスリープモードとで動作する電子機器であり、操作を受け付ける操作部２と、通常モードにおいて操作部２により操作が受け付けられることなく、設定されたスリープ入り時間３１が経過すると通常モードからスリープモードに移行させる動作モード制御部５１と、通常モードで操作部２により操作が受け付けられてから次に通常モードで操作が受け付けられるまでの時間を操作間隔時間として記憶する操作間隔記憶部５２１と、記憶された操作間隔時間に基づいてスリープ入り時間３１を変更するスリープ入り時間変更部５２２とを備えている。【選択図】図１
2018018385.tif 000002
【特許請求の範囲】
【請求項１】
画面を第１の輝度で表示させる通常モードと、前記画面を前記第１の輝度よりも低い第２の輝度で表示させるスリープモードとで動作する電子機器であって、
操作を受け付ける操作部と、
前記通常モードにおいて前記操作部により前記操作が受け付けられることなく、設定されたスリープ入り時間が経過すると前記通常モードから前記スリープモードに移行させる動作モード制御部と、
前記通常モードで前記操作部により前記操作が受け付けられてから次に前記通常モードで前記操作が受け付けられるまでの時間を操作間隔時間として記憶する操作間隔記憶部と、
記憶された前記操作間隔時間に基づいて前記スリープ入り時間を変更するスリープ入り時間変更部と
を備えたことを特徴とする電子機器。
【請求項２】
前記スリープ入り時間変更部は、
前記画面に表示されている文字数を取得して、前記文字数に応じて前記スリープ入り時間を変更する
ことを特徴とする請求項１に記載の電子機器。
【請求項３】
前記操作間隔記憶部は、
前記操作間隔時間として、前記画面の表示文字を更新するための前記操作が受け付けられてから次に前記画面の表示文字を更新するための前記操作が受け付けられるまでの時間を記憶する
ことを特徴とする請求項１又は２に記載の電子機器。
【請求項４】
前記操作間隔記憶部は、
前記通常モードで前記操作部により前記操作が受け付けられてから次に前記通常モード前記操作が受け付けられるまでに更新された前記画面の文字数を前記操作間隔時間と共に記憶し、
前記スリープ入り時間変更部は、
前記操作間隔記憶部により記憶された前記操作間隔時間を共に記憶された前記文字数で重み付けし、重み付けした前記操作間隔時間に基づいて前記スリープ入り時間を変更する
ことを特徴とする請求項１から３までのいずれか１項に記載の電子機器。
【発明の詳細な説明】
【技術分野】
【０００１】
本発明は、消費電力を削減するスリープモードを備えた電子機器に関する。
【背景技術】
【０００２】
近年、携帯電話、スマートフォン、タブレット端末等の携帯端末を用いて、電子化された書籍や新聞等を読むことが行われている。携帯端末は、バッテリーを電源としているため、消費電力を抑える必要がある。そこで、通常電力で動作する通常モードの他に、消費電力を抑えて動作するスリープモードを備えた携帯端末が普及している（例えば、特許文献１、２を参照）。このような携帯端末では、通常モードにおいて、一定時間操作がないと、ユーザーが携帯端末を使用していないと判断して、スリープモードになり、画面を消灯する等により消費電力の削減を行っている。この場合、ユーザーが画面をタッチすると、スリープモードが解除され、通常モードに復帰して、再び画面表示が行われる。
【先行技術文献】
【特許文献】
【０００３】
【特許文献１】特開2013-246726号公報
【特許文献２】特開2014-29719号公報
【発明の概要】
【発明が解決しようとする課題】
【０００４】
しかしながら、特許文献１、２の技術では、携帯端末を用いて電子書籍等の読書をしていると、ユーザーが画面上で文章を読んでいるにもかかわらず、携帯端末に対する操作がないために携帯端末がスリープモードに移行して、画面が消灯される場合があった。そのため、ユーザーは、画面が消灯される度に画面をタッチしなければならず、操作が煩わしいという問題があった。
【０００５】
本発明は上記課題に鑑みてなされたものであり、ユーザービリティーを損なわずに消費電力を削減することができる電子機器を提供することを目的とする。
【課題を解決するための手段】
【０００６】
本発明の電子機器は、画面を第１の輝度で表示させる通常モードと、前記画面を前記第１の輝度よりも低い第２の輝度で表示させるスリープモードとで動作する電子機器であって、操作を受け付ける操作部と、前記通常モードにおいて前記操作部により前記操作が受け付けられることなく、設定されたスリープ入り時間が経過すると前記通常モードから前記スリープモードに移行させる動作モード制御部と、前記通常モードで前記操作部により前記操作が受け付けられてから次に前記通常モードで前記操作が受け付けられるまでの時間を操作間隔時間として記憶する操作間隔記憶部と、記憶された前記操作間隔時間に基づいて前記スリープ入り時間を変更するスリープ入り時間変更部とを備えたことを特徴とする。
また、前記スリープ入り時間変更部は、前記画面に表示されている文字数を取得して、前記文字数に応じて前記スリープ入り時間を変更してもよい。
また、前記操作間隔記憶部は、前記操作間隔時間として、前記画面の表示文字を更新するための前記操作が受け付けられてから次に前記画面の表示文字を更新するための前記操作が受け付けられるまでの時間を記憶してもよい。
また、前記操作間隔記憶部は、前記通常モードで前記操作部により前記操作が受け付けられてから次に前記通常モードで前記操作が受け付けられるまでに更新された前記画面の文字数を前記操作間隔時間と共に記憶し、前記スリープ入り時間変更部は、前記操作間隔記憶部により記憶された前記操作間隔時間を共に記憶された前記文字数で重み付けし、重み付けした前記操作間隔時間に基づいて前記スリープ入り時間を変更してもよい。
【発明の効果】
【０００７】
本発明によれば、ユーザービリティーを損なわずに消費電力を削減することができる。
【図面の簡単な説明】
【０００８】
【図１】本発明に係る実施形態の携帯端末の構成を示す機能ブロック図である。
【図２】図１に示す動作モード制御部の動作モード制御処理の流れを示すフローチャートである。
【図３】図１に示す操作部の表示画面例である。
【図４】図３に示す表示画面の文字数に対応する初回スリープ入り時間の設定例である。
【図５】図１に示すスリープ制御部によるスリープ入り時間を調整する処理の流れを示すフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
図１に示す携帯端末１は、携帯電話、スマートフォン、タブレット端末、ＰＤＡ（Personal Digital Assistant）等のポータブルデバイスであり、操作部２と、記憶部３と、通信部４と、制御部５とを備えている。
【００１１】
操作部２は、ハードキーや、各種情報を表示する表示部の表示パネルに重ねて設けられたタッチパネル等で構成される。また、操作部２は、タッチパネル上のフリック操作を検出して、画面の行送りやページ送りなどにより表示文字を更新する機能を有する。
【００１２】
記憶部３は、半導体メモリーやＨＤＤ（Hard Disk Drive）等の記憶手段であり、スリープ入り時間３１と、スリープ制御アプリ３２とを記憶している。
【００１３】
スリープ入り時間３１は、後述する動作モード制御部５１により携帯端末１の動作モードが通常モードからスリープモードに入るまでの設定時間であり、初期設定されている。
【００１４】
スリープ制御アプリ３２は、スリープ入り時間３１を調整することにより、動作モード制御部５１により携帯端末１の動作モードがスリープモードになるタイミングを制御するためのアプリケーションプログラムである。ユーザーは、通信部４を介してインターネットなどからスリープ制御アプリ３２をダウンロードして、携帯端末１にインストールすることができる。
【００１５】
通信部４は、無線ネットワークを介して、インターネット等に接続して各種データを送受信する機能を有する。
【００１６】
制御部５は、操作部２、記憶部３及び通信部４にそれぞれ接続され、操作部２から入力された所定の指示情報に応じて携帯端末１全体の動作制御を実行する。制御部５は、ＲＯＭ（Read Only Memory）、ＲＡＭ（Random Access Memory）等を備えたマイクロコンピューター等の情報処理部である。ＲＯＭには携帯端末１の動作制御を行うための制御プログラムが記憶されている。制御部５は、ＲＯＭに記憶されている制御プログラムを読み出し、制御プログラムをＲＡＭに展開させることで、操作部２から入力された所定の指示情報に応じて端末全体の制御を行う。
【００１７】
また、制御部５は、携帯端末１の動作モードを制御する動作モード制御部５１として機能する。動作モード制御部５１は、携帯端末１を通常モード又はスリープモードのいずれかの動作モードで動作させるように制御する。通常モードは、画面を第１の輝度で表示させるモードである。スリープモードは、画面のバックライトを制御して、第１の輝度よりも低い第２の輝度で表示させるモードであり、消費電力を通常モードより抑えたモードである。
【００１８】
動作モード制御部５１は、操作部２により操作が受け付けられることなくスリープ入り時間３１が経過すると、携帯端末１の動作モードを通常モードからスリープモードに移行させる。具体的には、動作モード制御部５１は、タイマー５１１を有しており、通常モードのときに、操作部２により操作が受け付けられていない時間（無操作時間）をタイマー５１１により計測している。タイマー５１１による計測時間がスリープ入り時間３１を超えると、動作モード制御部５１は、携帯端末１の動作モードを通常モードからスリープモードに移行させるように制御する。
【００１９】
具体的には、図２に示すように、動作モード制御部５１は、携帯端末１を通常モードにすると（ステップｓ１１）、タイマー５１１を開始させる（ステップｓ１２）。つづいて、動作モード制御部５１は、操作部２により操作が受け付けられたか否かを判定し（ステップｓ１３）、操作部２により操作が受け付けられた場合には（ステップｓ１３でＹｅｓ）、タイマー５１１をリセットし（ステップｓ１４）、ステップｓ１２に処理を戻す。一方、操作部２により操作が受け付けられていない場合には（ステップｓ１３でＮｏ）、動作モード制御部５１は、タイマー５１１のタイマー値（無操作時間）と記憶部３に記憶されたスリープ入り時間３１とを比較し、タイマー値がスリープ入り時間３１を超えたか否かを判定する（ステップｓ１５）。
【００２０】
タイマー値がスリープ入り時間３１を超えていない場合には（ステップｓ１５でＮｏ）、ステップｓ１３に処理が戻る。一方、タイマー値がスリープ入り時間３１を超えた場合には（ステップｓ１５でＹｅｓ）、動作モード制御部５１は、携帯端末１の動作モードを通常モードからスリープモードに移行させて（ステップｓ１６）、本処理を終了する。そして、スリープモードのときに、操作部２により操作が受け付けられた場合には、動作モード制御部５１は、携帯端末１をスリープモードから通常モードに復帰させるように制御する。
【００２１】
また、制御部５は、操作部２を介してスリープ制御アプリ３２の起動操作が行われると、記憶部３に記憶されたスリープ制御アプリ３２を読み出して、ＲＡＭに展開させて、スリープ制御アプリ３２を起動させる。これにより、制御部５は、スリープ制御アプリ３２の機能を実現するスリープ制御部５２として機能する。
【００２２】
スリープ制御部５２は、操作間隔記憶部５２１と、スリープ入り時間変更部５２２として機能し、スリープ入り時間３１を変更することにより、上記の動作モード制御部５１により携帯端末１の動作モードがスリープモードになるタイミングを制御する。
【００２３】
操作間隔記憶部５２１は、通常モードで操作部２により操作が受け付けられてから次に通常モードで操作が受け付けられるまでの時間を操作間隔時間として記憶する機能を有する。操作間隔記憶部５２１は、操作間隔時間として例えば５つ等の所定数の時間を不図示のＲＡＭ等に記憶するようにして、常に最新の所定数の操作間隔時間を記憶するように更新する。操作間隔記憶部５２１は、タイマー５１１を介して操作間隔時間を取得してもよい。
【００２４】
操作部２の無操作時間がスリープ入り時間３１を超えてしまい、携帯端末１が通常モードからスリープモードになってしまった場合には、操作間隔記憶部５２１は、スリープモードに移行する直前に検出した通常モードでの操作から、次に通常モードになってから初めて検出した操作までを操作間隔時間として取得する。この場合、携帯端末１をスリープモードから復帰させるための操作は、スリープモード中の操作となるので、操作間隔時間の開始又は終了の対象とならない。これにより、例えばユーザーの読書スピード（画面更新スピード）が設定されたスリープ入り時間３１よりも遅かったために、携帯端末１がスリープモードに移行してしまったとしても、スリープモードになる直前の通常モードでの最後の操作から、スリープモードから復帰後の通常モードでの最初の操作までの操作間隔を操作間隔時間として記憶することができる。この際、操作間隔記憶部５２１は、スリープモードに移行してから予め設定された時間内にスリープモードからの復帰操作がされなかった場合には、ユーザーが読書していないと判断して、このスリープモードに移行する直前の通常モードで検出した最後の操作を操作間隔時間の開始対象にしなくてもよい。なお、ユーザーの読書スピードが設定されたスリープ入り時間３１よりも早かった場合には、スリープモードに移行することなく同じ通常モード内の操作間隔に基づいて操作間隔時間が取得されることは言うまでもない。
【００２５】
スリープ入り時間変更部５２２は、スリープ入り時間３１を変更する機能を有する。具体的には、スリープ入り時間変更部５２２は、スリープ制御アプリ３２が起動すると、初期設定として、表示部の画面に表示されている文字（例えば図３を参照）の文字数を取得し、文字数に対応して予め設定された初回スリープ入り時間にスリープ入り時間３１を変更する。図４は、文字数に対応して設定される初回スリープ入り時間の一例である。初回スリープ入り時間は、スリープ制御アプリ３２が有しており、文字数が多くなるほど長くなるように設定される。なお、スリープ入り時間変更部５２２は、画面に表示されている全ての文字数を取得するのではなく、図３に示すように、画面中央部列２１に含まれる文字数だけを取得するようにしてもよい。これによれば、スリープ入り時間変更部５２２は、表示文字数全てを取得しなくて済むので、文字数取得時間を短縮することができ、早く初期設定を終わらせることができる。なお、この場合、図４に示す初回スリープ入り時間は、画面中央部列の文字数に対応して設定される。
【００２６】
つづいて、スリープ入り時間変更部５２２は、操作間隔記憶部５２１により操作間隔時間が記憶されると、記憶されている複数の操作間隔時間の平均時間を算出し、算出した平均時間に所定時間（バッファー時間）を追加した時間にスリープ入り時間３１を変更する。これにより、ユーザーが行送りやページ送りをする操作間隔時間に対応してスリープ入り時間３１が更新されていく。
【００２７】
具体的に、図５を参照して、スリープ制御部５２によるスリープ入り時間３１の変更処理の流れを説明する。
【００２８】
まず、制御部５によりスリープ制御アプリ３２が起動すると（ステップｓ３１）、制御部５はスリープ制御部５２として機能する。つづいて、スリープ制御部５２のスリープ入り時間変更部５２２は、現在の表示画面の文字数を取得して（ステップｓ３２）、文字数に対応する初回スリープ入り時間をスリープ入り時間３１に設定する（ステップｓ３３）。
【００２９】
つづいて、操作間隔記憶部５２１は、操作部２を監視し（ステップｓ３４）、通常モードでの操作部２により操作が受け付けられた操作間隔時間を検出して（ステップｓ３５）、記憶する（ステップｓ３６）。つづいて、スリープ入り時間変更部５２２は、記憶されている複数の操作間隔時間の平均値を算出し（ステップｓ３７）、算出した平均値に所定時間αを追加した時間をスリープ入り時間３１に設定し（ステップｓ３８）、本処理を終了する。
【００３０】
このように、本実施形態の携帯端末１は、画面を第１の輝度で表示させる通常モードと、画面を第１の輝度よりも低い第２の輝度で表示させるスリープモードとで動作する電子機器であって、操作を受け付ける操作部２と、通常モードにおいて操作部２により操作が受け付けられることなく、設定されたスリープ入り時間３１が経過すると通常モードからスリープモードに移行させる動作モード制御部５１と、通常モードで操作部２により操作が受け付けられてから次に通常モードで操作が受け付けられるまでの時間を操作間隔時間として記憶する操作間隔記憶部５２１と、記憶された操作間隔時間に基づいてスリープ入り時間３１を変更するスリープ入り時間変更部５２２とを備えている。これにより、ユーザーが表示文字を更新するための操作を行いながら読み進めると、ユーザーの読書スピードに合わせた時間にスリープ入り時間３１が変更される。そして、ユーザーが表示文字を更新するための操作を行わないまま、スリープ入り時間３１に達すると、動作モード制御部５１により携帯端末１が通常モードからスリープモードに移行する。また、ユーザーが読書中であるにも関わらず、スリープモードに移行してしまった場合には、スリープモードに移行する直前の通常モードでの最後の操作からスリープモードから復帰後の通常モードでの最初の操作までの時間が操作間隔時間として記憶され、スリープ入り時間３１の変更に加味される。そのため、ユーザーの読書スピードに合わせてスリープモードに移行できるので、ユーザービリティーを損なわずに消費電力を削減することができる。
【００３１】
また、ユーザーによる表示文字を更新するための操作間隔時間を取得できない初回起動時については、画面の表示文字数に応じてスリープ入り時間３１を変更することができる。
【００３２】
なお、操作間隔記憶部５２１は、操作間隔時間として、画面の表示文字を更新するための操作が操作部２により受け付けられてから次に画面の表示文字を更新するための操作が操作部２により受け付けられるまでの時間を記憶するようにしてもよい。表示文字を更新するための操作としては、フリック操作や、ページ送りや行送りを指示するためのアイコンを押す操作が含まれてもよい。携帯端末１を用いて読書等をしているときに、ユーザーの意に反して携帯端末１がスリープモードになることが多いからである。
【００３３】
また、操作間隔記憶部５２１は、操作間隔時間だけでなく、通常モードで操作部２により操作が受け付けられてから次に通常モードで操作が受け付けられるまでに更新された画面の表示文字数を取得し、操作間隔時間と共に表示文字数を記憶するようにしてもよい。この場合、スリープ入り時間変更部５２２は、操作間隔記憶部５２１により記憶された操作間隔時間を表示文字数に応じて重み付けし、重み付けした操作間隔時間の平均値に所定時間αを追加した時間をスリープ入り時間３１に設定してもよい。これによれば、スリープ入り時間変更部５２２は、ユーザーの操作間隔時間だけでなく、画面に表示されているコンテンツ内容に応じてスリープ入り時間３１を設定することができる。
【００３４】
なお、スリープ入り時間変更部５２２は、操作間隔時間の平均値に所定時間αを追加した時間にスリープ入り時間３１を変更するだけでなく、例えば、直近の操作間隔時間を１．５倍した時間にスリープ入り時間３１を変更したり、操作間隔時間を単純に加算した時間にスリープ入り時間３１を変更したり、スリープ入り時間３１の算出方法を適宜変えてもよい。
【００３５】
また、上記実施形態では、携帯端末１を例に説明したが、携帯端末１に限らず、通常モードと、通常モードより低消費電力のスリープモードとを備えた電子機器であればよく、例えば、画像形成装置に本実施形態を適用してもよい。
【００３６】
本発明は上述した実施の形態に限定されるものではなく、本発明の趣旨を逸脱しない範囲で種々様々に変更が可能であることは言うまでもない。
【符号の説明】
【００３７】
１  携帯端末
２  操作部
３  記憶部
４  通信部
５  制御部
２１  中央部列
３１  スリープ入り時間
３２  スリープ制御アプリ
５１  動作モード制御部
５２  スリープ制御部
５１１  タイマー
５２１  操作間隔記憶部
５２２  スリープ入り時間変更部
【図１】
2018018385.tif 000003
【図２】
2018018385.tif 000004
【図３】
2018018385.tif 000005
【図４】
2018018385.tif 000006
【図５】
2018018385.tif 000007